(57)【要約】      （修正有）【課題】破損を防止するとともに、紛失防止を図った位置決め部材、及びパイプサポートを提供する。【解決手段】パイプサポート１は、下管と、該下管に挿抜自在に内嵌される上管と、下管と上管とを位置決める位置決め部材４と、を備え、位置決め部材は、位置決め部４０と、下管に遊挿される遊挿部４１と、を一体に備え、位置決め部は、下管の第１貫通孔及び上管の第２貫通孔に挿通される挿通部４２と、挿通部４２に連続する第１折り返し部４３と、第１折り返し部に連続して形成されるとともに挿通部４２と平行な第１平行部４４と、で構成され、遊挿部は、第１平行部４４延長された延長部４５と、延長部４５に連続する第２折り返し部４６と、第２折り返し部に連続して形成されるとともに延長部４５と平行な第２平行部４７と、で構成される。【選択図】図２
0003179423.tif 000002
【実用新案登録請求の範囲】
【請求項１】
筒状の下管に挿抜自在な上管が内嵌された状態で、これら下管と上管とを位置決めるための位置決め部材であって、
前記下管には、その周壁に互いに対向する一対の第１貫通孔が形成され、
前記上管には、その周壁に互いに対向する一対の第２貫通孔が形成され、
前記位置決め部材は、前記下管と前記上管とを位置決める位置決め部と、前記下管に遊挿される遊挿部と、を備えて構成されたものであり、
前記位置決め部は、前記下管の軸方向に交差する第１仮想平面上に設けられ、前記遊挿部は、前記第１仮想平面に交差する第２仮想平面上に設けられ、
前記位置決め部が設けられた前記第１仮想平面と前記遊挿部が設けられた前記第２仮想平面とが所定角度を有して構成され、
前記位置決め部は、前記一対の第１貫通孔及び前記一対の第２貫通孔に挿通される直線状の挿通部と、前記挿通部に連続するとともに１８０度折り返された第１折り返し部と、前記第１折り返し部に連続するとともに前記挿通部と平行な第１平行部と、で構成され、
前記遊挿部は、前記第１平行部に連続して延長された直線状の延長部と、前記延長部に連続するとともに１８０度折り返された第２折り返し部と、前記第２折り返し部に連続するとともに前記延長部と平行な第２平行部と、で構成され、
前記第２平行部は、前記第１平行部及び前記延長部に対する前記挿通部と同じ側に設けられ、
前記挿通部と前記第１平行部との離間距離は、前記延長部と前記第２平行部との離間距離よりも小さいとともに、前記挿通部の先端部と前記第２平行部の先端部との離間距離は、前記上管の外径寸法よりも小さいことを特徴とする位置決め部材。
【請求項２】
前記第１仮想平面と前記第２仮想平面との成す前記所定角度が、１３０度以上１４０度以下に成るように形成されていることを特徴とする請求項１記載の位置決め部材。
【請求項３】
前記下管の外径寸法を１とした場合、
前記延長部から前記第２平行部までの第１寸法は０．９５以上１．１０以下、前記位置決め部と前記遊挿部との境界部から前記位置決め部の前記第１折り返し部側の端部までの第２寸法は１．７０以上１．９０以下、前記位置決め部と前記遊挿部との前記境界部から、前記遊挿部の前記第２折り返し部側の端部までの第３寸法は１．６０以上１．８０以下、になるように形成されていることを特徴とする請求項１又は請求項２記載の位置決め部材。
【請求項４】
筒状の周壁に互いに対向する一対の第１貫通孔が形成された下管と、
該下管に挿抜自在に内嵌されるとともに、その周壁に互いに対向する一対の第２貫通孔が形成された上管と、
互いに連通した前記一対の第１貫通孔及び前記一対の第２貫通孔に挿通されて、前記下管と前記上管とを位置決める請求項１乃至請求項３のうちいずれか一項記載の位置決め部材と、を備えたことを特徴とするパイプサポート。
【考案の詳細な説明】
【技術分野】
【０００１】
本考案は、建築現場において床スラブ用コンクリート型枠などを支持するために使用されるパイプサポート、及び位置決め部材に関する。
【背景技術】
【０００２】
特許文献１には、図８に示すように、軸方向に延在した長孔１０２ａが形成された下管１０２と、当該下管１０２に対し抜き差し自在に内嵌された上管１０３と、当該上管１０３に長さ方向に間隔をあけて形成されたピン孔１０３ａに対し、挿脱自在でかつ長孔１０２ａ及びピン孔１０３ａに挿入された状態で、下管１０２側のピン受け部１０４により支持されるサポート長さ規制用ピン１０５と、から構成された仮設工事用サポート１０１が開示されている。特許文献１に記載された従来の仮設工事用サポート１０１は、図８に示すように、サポート長さ規制用ピン１０５が、紛失防止などのために、上管１０３に遊挿された状態で下管１０２の上端に受け止められるリング１０６にチェーン１０７等を用いて連結されていた。
【先行技術文献】
【特許文献】
【０００３】
【特許文献１】特開平１１−１０７５４６号公報
【考案の概要】
【考案が解決しようとする課題】
【０００４】
ところで、この種の仮設工事用サポート１０１は、運送時や保管時には、一般的に横倒しされて積み重ねられる。この時、チェーン１０７を介して下管１０２にぶら下がったサポート長さ規制用ピン１０５が、他の仮設工事用サポート１０１に引っ掛かったり、互いに絡み合って引っ張られることで、チェーン１０７が破断して、サポート長さ規制用ピン１０５が紛失してしまう問題があった。
【０００５】
本考案は、破損を防止するとともに、紛失防止を図った位置決め部材、及びパイプサポートを提供することを目的とする。
【課題を解決するための手段】
【０００６】
請求項１に記載の考案は、上記目的を達成するために、筒状の下管に挿抜自在な上管が内嵌された状態で、これら下管と上管とを位置決めるための位置決め部材であって、前記下管には、その周壁に互いに対向する一対の第１貫通孔が形成され、前記上管には、その周壁に互いに対向する一対の第２貫通孔が形成され、前記位置決め部材は、前記下管と前記上管とを位置決める位置決め部と、前記下管に遊挿される遊挿部と、を備えて構成されたものであり、前記位置決め部は、前記下管の軸方向に交差する第１仮想平面上に設けられ、前記遊挿部は、前記第１仮想平面に交差する第２仮想平面上に設けられ、前記位置決め部が設けられた前記第１仮想平面と前記遊挿部が設けられた前記第２仮想平面とが所定角度を有して構成され、前記位置決め部は、前記一対の第１貫通孔及び前記一対の第２貫通孔に挿通される直線状の挿通部と、前記挿通部に連続するとともに１８０度折り返された第１折り返し部と、前記第１折り返し部に連続するとともに前記挿通部と平行な第１平行部と、で構成され、前記遊挿部は、前記第１平行部に連続して延長された直線状の延長部と、前記延長部に連続するとともに１８０度折り返された第２折り返し部と、前記第２折り返し部に連続するとともに前記延長部と平行な第２平行部と、で構成され、前記第２平行部は、前記第１平行部及び前記延長部に対する前記挿通部と同じ側に設けられ、前記挿通部と前記第１平行部との離間距離は、前記延長部と前記第２平行部との離間距離よりも小さいとともに、前記挿通部の先端部と前記第２平行部の先端部との離間距離は、前記上管の外径寸法よりも小さいことを特徴とする位置決め部材である。
【０００７】
請求項２に記載の考案は、請求項１記載の考案において、前記第１仮想平面と前記第２仮想平面との成す前記所定角度が、１３０度以上１４０度以下に成るように形成されていることを特徴とする。
【０００８】
請求項３に記載の考案は、請求項１又は請求項２記載の考案において、前記下管の外径寸法を１とした場合、前記延長部から前記第２平行部までの第１寸法は０．９５以上１．１０以下、前記位置決め部と前記遊挿部との境界部から前記位置決め部の前記第１折り返し部側の端部までの第２寸法は１．７０以上１．９０以下、前記位置決め部と前記遊挿部との前記境界部から、前記遊挿部の前記第２折り返し部側の端部までの第３寸法は１．６０以上１．８０以下、になるように形成されていることを特徴とする。
【０００９】
請求項４に記載の考案は、筒状の周壁に互いに対向する一対の第１貫通孔が形成された下管と、該下管に挿抜自在に内嵌されるとともに、その周壁に互いに対向する一対の第２貫通孔が形成された上管と、互いに連通した前記一対の第１貫通孔及び前記一対の第２貫通孔に挿通されて、前記下管と前記上管とを位置決める請求項１乃至請求項３のうちいずれか一項記載の位置決め部材と、を備えたことを特徴とするパイプサポートである。
【考案の効果】
【００１０】
請求項１、３、４に記載の本考案によれば、従来技術におけるサポート長さ規制用ピンの代わりに位置決め部が設けられ、従来技術におけるリング及びチェーンの代わりに遊挿部が設けられ、位置決め部に設けられた挿通部が、第１貫通孔及び第２貫通孔から引き抜かれたパイプサポートの非使用状態においても、位置決め部における挿通部の先端部と遊挿部における第２平行部の先端部との離間距離が上管の外径寸法よりも小さく形成されていて、挿通部の先端部と第２平行部の先端部との間を、上管よりもその外径寸法が大きい下管が通れないから、位置決め部材が下管から脱落することがなくなって、位置決め部材が紛失することを防止できる。
【００１１】
また、位置決め部が設けられた第１仮想平面と遊挿部が設けられた第２仮想平面とが所定角度を有するように、挿通部と延長部との境界部が曲げられているから、挿通部が第１貫通孔及び第２貫通孔の内側に挿通されたパイプサポートの使用状態において、遊挿部の下管からの突出量を小さくすることができるとともに、パイプサポートの非使用状態においても、位置決め部の挿通部及び、この挿通部と平行な第１平行部が下管の軸方向に沿って設けられ、遊挿部の延長部及び第２平行部が下管の軸方向に交差する方向に沿って設けられるから、遊挿部の下管からの突出量を小さくすることができる。このようにパイプサポートの使用状態においても、パイプサポートの非使用状態においても、遊挿部が下管からの突出する突出量を小さくすることができて、工事作業の邪魔になることを防止できるとともに、運搬や保管場所の省スペース化を図ることができる。
【００１２】
請求項２に記載の本考案によれば、位置決め部が設けられる第１仮想平面と遊挿部が設けられる第２仮想平面との成す所定角度が、１３０度以上１４０度以下に成るように形成されているから、遊挿部の第２折り返し部側の端部が位置決め部よりも上方を向くように配置されることにより、作業者が第２折り返し部を掴んで操作部として用いることができ、これにより、挿通部を第１貫通孔及び第２貫通孔に挿し抜きする作業をし易くできる。即ち、操作性の向上を図ることができる。
【図面の簡単な説明】
【００１３】
【図１】本考案の一実施の形態にかかるパイプサポートを示す斜視図である。
【図２】図１に示されたパイプサポートを構成する位置決め部材を示す斜視図である。
【図３】図１に示された位置決め部材の上面図である。
【図４】図１に示された位置決め部材の側面図である。
【図５】図１に示された位置決め部材の側面図である。
【図６】図１に示されたパイプサポートを別の角度からみた図であり、位置決め部材の挿通部が、下管及び上管の第１、第２貫通孔内に挿通された状態を示す図である。
【図７】位置決め部材の挿通部が、下管及び上管の第１、第２貫通孔内から引き抜かれた状態を示す図である。
【図８】従来の仮設工事用サポートを示す斜視図である。
【考案を実施するための形態】
【００１４】
以下、本考案に係るパイプサポート１の一実施形態を、図１乃至図７を参照して説明する。パイプサポート１は、図１に示すように、筒状の下管２と、該下管２に挿抜自在に内嵌される上管３と、下管２と上管３とを位置決める位置決め部材４と、下管２に外嵌されて位置決め部材４を支持するハンドル付き支持部５と、を備えて構成されている。
【００１５】
下管２は、図１に示すように、筒状に形成された下筒本体２０と、下筒本体２０の下端に固定されて床に設置される台板２１と、を備えて構成されている。下筒本体２０には、その上端部に長孔２０ａ（第１貫通孔）と、ハンドル付き支持部５の雄ねじ（図示しない）に螺合する雌ねじ部２２と、が形成されている。この長孔２０ａは、下筒本体２０の軸方向に沿って形成されているとともに、下筒本体２０の周壁２Ａに互いに対向する位置に一対形成されている。一対の長孔２０ａの上端は、雌ねじが形成された部分（以下、雌ねじ部２２と記す）の上端より下側に設けられ、一対の長孔２０ａの下端は、雌ねじ部２２の下端より上側に設けられている。
【００１６】
ここで、図１などに示すように、下管２の下筒本体２０の軸方向、及び上管３の上筒本体３０（後述する）の軸方向、を上下方向と記し、矢印Ｙで示す。
【００１７】
上管３は、筒状に形成されて下管２の下筒本体２０に内嵌される上筒本体３０と、上筒本体３０の上端に固定されて床スラブ用型枠に当接される受板３１と、を備えて構成されている。上筒本体３０は、その外径寸法が、下筒本体２０の内径寸法と略等しい寸法に形成されている。また、上筒本体３０には、その上端部に複数の貫通孔３０ａ（第２貫通孔）が形成されている。複数の貫通孔３０ａは、上筒本体３０の軸方向に沿って一定間隔をあけて形成されているとともに、上筒本体３０の周壁３Ａに互いに対向する位置に各一対ずつ形成されている。
【００１８】
位置決め部材４は、図２に示すように、下管２と上管３とを位置決める位置決め部４０と、下管２に遊挿される遊挿部４１と、を備えて構成されている。これらの位置決め部４０及び遊挿部４１は、１本の金属棒が曲げられて一体に形成されている。この金属棒は、その断面形状が正円形に形成されている。位置決め部４０は、下筒本体２０の軸方向に交差する第１仮想平面４Ａ上に設けられ、遊挿部４１は、第１仮想平面４Ａに交差する第２仮想平面４Ｂ上に設けられている。換言すると、位置決め部４０及び遊挿部４１は、第１仮想平面４Ａと第２仮想平面４Ｂとが所定角度を有するように、位置決め部４０と遊挿部４１との境界部４ａ（即ち、位置決め部４０の第１平行部４４と遊挿部４１の延長部４５との境界部）が曲げられて形成されている。
【００１９】
位置決め部４０は、図３に示すように、互いに連通した下管２の長孔２０ａおよび上管３の貫通孔３０ａに挿通される直線状の挿通部４２と、挿通部４２に連続するとともに１８０度曲げられて下筒本体２０の外面に沿う弧状を有する第１弧状部４３（第１折り返し部）と、第１弧状部４３に連続するとともに挿通部４２と平行な第１平行部４４と、でＵ字状に形成されている。挿通部４２及び、第１平行部４４は両方とも直線状に形成されているとともに、これら挿通部４２と第１平行部４４は互いに平行に設けられている。
【００２０】
遊挿部４１は、図３に示すように、第１平行部４４に連続して延長された直線状の延長部４５と、延長部４５に連続する１８０度曲げられて下筒本体２０の外面に沿う弧状を有する第２弧状部４６（第２折り返し部）と、第２弧状部４６に連続するとともに延長部４５と平行な第２平行部４７と、でＵ字状に形成されている。延長部４５及び、第２平行部４７は両方とも直線状に形成されているとともに、これら延長部４５と第２平行部４７は互いに平行に設けられている。
【００２１】
図３に示すように、遊挿部４１の内寸、即ち延長部４５から第２平行部４７までの寸法Ｌ１（請求項中の第１寸法）は、遊挿部４１が下筒本体２０に遊挿可能となるように、下筒本体２０の外径寸法よりも僅かに大きくなるように形成されている。第２平行部４７は、第１平行部４４及び延長部４５に対する挿通部４２と同じ側に設けられている。また、位置決め部４０の内寸、即ち挿通部４２から第１平行部４４までの寸法Ｌ２は、延長部４５から第２平行部４７までの寸法Ｌ１よりも小さくなるように形成されているとともに、挿通部４２の先端部４ｂと第２平行部４７の先端部４ｃとの離間距離Ｌ３は、上管３の外径寸法よりも小さくなるように形成されている。即ち、上管３の外径寸法は、下管２の外径寸法よりも小さいから、前記離間距離Ｌ３が上管３の外径寸法よりも小さければ、前記離間距離Ｌ３は下管２の外径寸法よりも小さいこととなるから、挿通部４２の先端部４ｂと第２平行部４７の先端部４ｃとの間を下筒本体２０が通れず、位置決め部材４が下管２から脱落するのを防止できる。
【００２２】
このような位置決め部材４は、図４、図５に示すように、断面形状における直径寸法Ｎ２が１１ｍｍ以上１３ｍｍ以下に形成された金属棒を曲げることで形成されており、下筒本体２０の外径寸法Ｎ１を６０．５ｍｍ、延長部４５から第２平行部４７までの寸法Ｌ１を７０．５ｍｍ、挿通部４２から第１平行部４４までの寸法Ｌ２を２９．２５ｍｍ、挿通部４２の先端部４ｂから位置決め部４０の第１弧状部４３側の端部までの寸法Ｌ４を１０７ｍｍ、位置決め部４０と遊挿部４１との境界部４ａから位置決め部４０の第１弧状部４３側の端部までの寸法Ｌ５（請求項中の第２寸法）を１２０ｍｍ、位置決め部４０と遊挿部４１との境界部４ａから遊挿部４１の第２弧状部４６側の端部までの寸法Ｌ６（請求項中の第３寸法）を１１０ｍｍ、となるように形成した。換言すると、下管２の下筒本体２０の外径寸法Ｎ１を１とした場合に、寸法Ｌ１は、１．１８とされ、寸法Ｌ５は、２．００とされ、寸法Ｌ６は、１．８３とされている。
【００２３】
また、位置決め部４０が設けられた第１仮想平面４Ａと遊挿部４１が設けられた第２仮想平面４Ｂとの成す角度（所定角度）が１３５度となるように、位置決め部４０と遊挿部４１との境界部４ａから遊挿部４１の第２弧状部４６側の端部までの第１仮想平面４Ａに沿う寸法Ｌ７を８０ｍｍ、遊挿部４１の高さ寸法（即ち、遊挿部４１の第１仮想平面４Ａに直交する方向の寸法Ｌ８を８２．５４ｍｍと成るように形成した。
【００２４】
また、図５に示すように、位置決め部４０の挿通部４２の中心部から、位置決め部４０の第１平行部４４の中心部までの寸法Ｌ９を４１．２５ｍｍ、遊挿部４１の延長部４５の中心部から、遊挿部４１の第２平行部４７の中心部までの寸法Ｌ１０を８２．５ｍｍ、となるように形成した。
【００２５】
なお、本実施形態において、上記各寸法等はあくまでも一例であり、本考案においては用途に応じて適宜設計すればよく、位置決め部材４の寸法比としては、下管２の下筒本体２０の外径寸法Ｎ１を１とした場合、延長部４５から第２平行部４７までの寸法Ｌ１を、１．１以上１．２以下、位置決め部４０と遊挿部４１との境界部４ａから、位置決め部４０の第１弧状部４３側の端部までの寸法Ｌ２は、１．９以上２．１以下、位置決め部４０と遊挿部４１との境界部４ａから、遊挿部４１の第２弧状部４６側の端部までの寸法Ｌ３は、１．８以上１．９以下になるようになるように形成されていることが好ましい。また、位置決め部４０と遊挿部４１との成す所定角度θが、１３０度以上１４０度以下に成るように形成されていることが好ましい。
【００２６】
ハンドル付き支持部５は、図６に示すように、内側に下筒本体２０の雌ねじ２２に螺合する雄ねじが形成された環状部５０と、環状部５０に取り付けられてこの環状部５０を回転させるためのハンドル部５１と、を有して構成されている。
【００２７】
続いて、パイプサポート１の組み立て方法について説明する。予め、ハンドル付き支持部５の雄ねじに、下筒本体２０の雌ねじ２２部を螺合させて下管２を組み立てておく。位置決め部材４の遊挿部４１の第２弧状部４６の端部が位置決め部４０よりも上方に向く格好で、遊挿部４１を下筒本体２０に遊挿する。遊挿部４１がハンドル付き支持部５上に戴置される。下筒本体２０の上端に上筒本体３０の下端を近付けて、下筒本体２０を上筒本体３０に内嵌させ、下管２の台板２１を床上に設置し、上筒本体３０を下筒本体２０に対して上方に移動させ、上管３の受板３１を床スラブ用型枠に近付け、この状態で、遊挿部４１の第２円弧部４６を掴んで、挿通部４２の先端部を長孔２０ａ及び貫通孔３０ａに近付け、第２円弧部４６を下筒本体２０から離れる方向に引っ張り、挿通部４２を長孔２０ａ及び貫通孔３０ａに挿通する。最後に、ハンドル付き支持部５が上方に移動するように、ハンドル付き支持部５を回転させて、上管３の受板３１を床スラブ用型枠に当接させる。こうして、パイプサポート１は組み立てられる。
【００２８】
次に、パイプサポート１の解体方法について説明する。ハンドル付き支持部５が下方に移動するように、ハンドル付き支持部５を回転させて、上管３を下降させてから、遊挿部４１の第２円弧部４６を掴んで、第２円弧部４６を下筒本体２０に近付く方向に押し付けて、挿通部４２を長孔２０ａ及び貫通孔３０ａから引き抜いて、パイプサポート１を解体する。
【００２９】
このようなパイプサポート１は、位置決め部４０に設けられた挿通部４２が、長孔２０ａ（第１貫通孔）及び貫通孔３０ａ（第２貫通孔）から引き抜かれたパイプサポート１の非使用状態においても、位置決め部４０における挿通部４２の先端部４ｂと遊挿部４１における第２平行部４７の先端部４ｃとの離間距離が上管の外径寸法よりも小さく形成されていて、挿通部４２の先端部４ｂと第２平行部４７の先端部４ｃとの間を、上管３よりもその外径寸法が大きい下管が通れないから、位置決め部４０材が下管２から脱落することがなくなって、位置決め部４０材が紛失することを防止できる。また、位置決め部４０材は、位置決め部４０と遊挿部４１とが金属棒で一体に形成されているから強度が向上して、遊挿部４１の破損防止を図ることができる。
【００３０】
また、位置決め部４０が設けられた第１仮想平面４Ａと遊挿部４１が設けられた第２仮想平面４Ｂとが所定角度θを有するように、挿通部４２と延長部４５との境界部４ａが曲げられているから、挿通部４２が長孔２０ａ（第１貫通孔）及び貫通孔３０ａ（第２貫通孔）の内側に挿通されたパイプサポート１の使用状態において、遊挿部４１の下管２からの突出量を小さくすることができるとともに、パイプサポート１の非使用状態においても、位置決め部４０の挿通部４２及び、この挿通部４２と平行な第１平行部４４が下管２の軸方向に沿って設けられ、遊挿部４１の延長部４５及び第２平行部４７が下管２の軸方向に交差する方向に沿って設けられるから、遊挿部４１の下管２からの突出量を小さくすることができる。このようにパイプサポート１の使用状態においても、パイプサポート１の非使用状態においても、遊挿部４１が下管２からの突出する突出量を小さくすることができて、工事作業の邪魔になることを防止できるとともに、運搬や保管場所の省スペース化を図ることができる。
【００３１】
また、位置決め部４０と遊挿部４１との成す所定角度θが、１３０度以上１４０度以下に成るように形成されているから、遊挿部４１の第２折り返し部４６側の端部が位置決め部４０よりも上方を向くように配置されることにより、作業者が第２折り返し部４６を掴んで操作部として用いることができ、これにより、挿通部４２を長孔２０ａ（第１貫通孔）及び貫通孔３０ａ（第２貫通孔）に挿し抜きする作業をし易くできる。即ち、操作性の向上を図ることができる。
【００３２】
なお、上述した実施形態によれば、位置決め部材４を構成する金属棒は、断面形状が正円形に形成されていたが、本考案はこれに限ったものではなく、金属棒の断面形状は矩形状であってもよい。
【００３３】
また、上述した実施形態によれば、位置決め部材４は、一本の金属棒から構成されていたが、本考案はこれに限ったものではなく、複数の金属部材が接合されることで構成されていてもよく、合成樹脂から構成されていてもよい。
【００３４】
また、上述した実施形態によれば、位置決め部４０、及び遊挿部４１はＵ字状に形成されているが、本考案はこれに限ったものはなく、位置決め部４０、及び遊挿部４１はコ字状に形成されていてもよい。
【００３５】
前述した実施形態は本考案の代表的な形態を示したに過ぎず、本考案は、実施形態に限定されるものではない。即ち、本考案の骨子を逸脱しない範囲で種々変形して実施することができる。
【符号の説明】
【００３６】
１      パイプサポート
２      下管
２Ａ    周壁
３      上管
３Ａ    周壁
４      位置決め部材
４Ａ    第１仮想平面
４Ｂ    第２仮想平面
２０ａ  長孔（第１貫通孔）
３０ａ  貫通孔（第２貫通孔）
４０    位置決め部
４１    遊挿部
４２    挿通部
４３    第１円弧部（第１折り返し部）
４４    第１平行部
４５    延長部
４６    第２円弧部（第２折り返し部）
４７    第２平行部
【図１】
0003179423.tif 000003
【図２】
0003179423.tif 000004
【図３】
0003179423.tif 000005
【図４】
0003179423.tif 000006
【図５】
0003179423.tif 000007
【図６】
0003179423.tif 000008
【図７】
0003179423.tif 000009
【図８】
0003179423.tif 000010